(57)【要約】      （修正有）【課題】複数の集合玄関機が接続されている場合、他の集合玄関機で連続呼び出していても、回線が空いたときに自動的に他の集合玄関機から呼び出すことを可能とする。【解決手段】居室親機、集合玄関機、居室親機及び制御機とから構成される集合住宅インターホンシステムであって、複数の集合玄関機のうちの第一の集合玄関機が呼出中又は通話中であり回線が使用中となっている場合において、第二の集合玄関機から呼出操作をおこなうと、制御機は、第一の集合玄関機が呼出中又は通話中であり回線が使用されていることを検出し、第二の集合玄関機からの呼び出しを検出してから所定時間の間に当該第二の所定の操作がなされるかを検出する制御、所定時間中に所定の操作がなされたときには呼出操作をメモリに記憶して第一の集合玄関機が待ち受け状態に戻り回線が空いたとき記憶されていた呼出操作をメモリから読み出して優先呼出をおこなう制御をおこなう。【選択図】図２
2010056976.tif 000002
【特許請求の範囲】
【請求項１】
来訪者が居住者を呼び出して通話を行うための複数の集合玄関機と、前記集合玄関機からの呼び出しを確認した居住者が応答して前記来訪者との間で通話を行うための居室親機と、前記集合玄関機、前記居室親機をそれぞれ制御する制御機とから構成される集合住宅インターホンシステムであって、
前記複数の集合玄関機のうちの第一の集合玄関機が呼出中又は通話中であり回線が使用中となっている場合において、
第二の集合玄関機から呼出操作をおこなうと、
前記制御機は、前記第一の集合玄関機が呼出中又は通話中であり回線が使用されていることを検出し、前記第二の集合玄関機の表示部に話中を示す表示をおこなう制御と、前記第二の集合玄関機からの呼び出しを検出してから所定時間の間に当該第二の集合玄関機から所定の操作がなされるかを検出する制御と、前記所定時間中に前記所定の操作がなされたときには呼出操作をメモリに記憶して前記第一の集合玄関機が待ち受け状態に戻り前記回線が空いたとき記憶されていた呼出操作をメモリから読み出して優先呼出をおこなう制御と、前記所定時間が経過したら待ち受け状態に移行する制御をおこなうことを特徴とする集合住宅インターホンシステム。
【請求項２】
前記所定の操作がなされた場合、前記第二の集合玄関機の表示部に呼出保留中であることを知らせるメッセージを表示させることを特徴とする請求項１記載の集合住宅インターホンシステム。
【発明の詳細な説明】
【技術分野】
【０００１】
本発明は集合住宅インターホンシステムに係り、特に、複数の集合玄関機が接続されている場合、他の集合玄関機で連続呼び出し（セールス等）していても、回線が空いたときに自動的に他の集合玄関機から呼び出すことを可能とする集合住宅インターホンシステムに関する。
【背景技術】
【０００２】
従来の集合住宅インターホンシステムは、集合玄関機が複数接続されるシステムであって、他の集合玄関機が通話状態の場合に自身が操作する集合玄関機で呼出操作すると、話中音を出力することにより回線が使用できないこと知らせることができるものであった（例えば特許文献１）。
【特許文献１】特開平９−１７２５０１号公報
【発明の開示】
【発明が解決しようとする課題】
【０００３】
しかしながら、従来例の集合住宅インターホンシステムにおいて、１通話路しかなく、集合玄関機が複数接続されている場合、他の集合玄関機で連続呼出（セールス等）がなされていると、自集合玄関機から呼び出すことができなくなってしまう。
また、単純に呼出保留状態とすると、長時間待つ時間のない人でも集合玄関機前で待機していないといけないため使い勝手がわるくなるおそれもある。
【０００４】
本発明は、上述の難点を解消するためになされたもので、通常呼出をおこなった後に所定の操作をおこなうと呼出保留状態に移行して、回線が空いたときに保留していた呼び出しをおこなうことにより、使い勝手のよい可能な集合住宅インターホンシステムを提供することを目的としている。
【課題を解決するための手段】
【０００５】
上記課題を解決するために、請求項１に記載の発明は、来訪者が居住者を呼び出して通話を行うための複数の集合玄関機と、集合玄関機からの呼び出しを確認した居住者が応答して来訪者との間で通話を行うための居室親機と、集合玄関機、居室親機をそれぞれ制御する制御機とから構成される集合住宅インターホンシステムであって、複数の集合玄関機のうちの第一の集合玄関機が呼出中又は通話中であり回線が使用中となっている場合において、第二の集合玄関機から呼出操作をおこなうと、制御機は、第一の集合玄関機が呼出中又は通話中であり回線が使用されていることを検出し、第二の集合玄関機の表示部に話中を示す表示をおこなう制御と、第二の集合玄関機からの呼び出しを検出してから所定時間の間に当該第二の集合玄関機から所定の操作がなされるかを検出する制御と、所定時間中に所定の操作がなされたときには呼出操作をメモリに記憶して第一の集合玄関機が待ち受け状態に戻り回線が空いたとき記憶されていた呼出操作をメモリから読み出して優先呼出をおこなう制御と、所定時間が経過したら待ち受け状態に移行する制御をおこなうことを特徴とする。
【０００６】
また、請求項２の発明は、請求項１において、所定の操作がなされた場合、第二の集合玄関機の表示部に呼出保留中であることを知らせるメッセージを表示させることを特徴とする。
【発明の効果】
【０００７】
請求項１の発明によれば、呼出保留をするのに来訪者の操作を必要とするので、急いでいる人は操作することなく帰れば呼出保留がなされることがない。また、呼出保留がなされた状態であれば、回線が空き次第、優先呼出として自動的に呼び出すことを可能としているので使い勝手がよい。
また、請求項２の発明によれば、現在の集合玄関機の状態を把握することができるので来訪者は安心して保留状態を待つことが可能となる。
【発明を実施するための最良の形態】
【０００８】
以下、本発明の集合住宅集合住宅インターホンシステムを適用した最良の実施の形態例について、図面を参照して説明する。
図１は、本発明の実施例による集合住宅集合住宅インターホンシステムの構成を示す図であり、管理室に設置され、後述する集合玄関機２ａ、２ｂ・・・及び居室親機３ａ、３ｂ・・・通話するための管理室親機１、集合住宅のエントランスに設置され、来訪者が居住者を呼び出して通話するための集合玄関機２ａ、２ｂ・・・、管理室親機１又は集合玄関機２ａ、２ｂ・・・からの呼び出しに応答して通話するための居室親機３ａ、３ｂ・・・、管理室親機１、集合玄関機２ａ、２ｂ・・・、及び居室親機３ａ、３ｂ・・・をそれぞれ制御するための制御装置４とから構成されている。
【０００９】
また、図２のブロック図に示すように管理室親機１は、制御機４と通信するための通信回路１０、居室親機３ａ、３ｂ・・・を呼び出すためのテンキー、呼出ボタン等の操作部１１、来訪者の映像や警報内容等を表示するためのＬＣＤ等の表示部１２、各回路を制御するための制御回路１３、来訪者又は管理人と通話するためのマイク、スピーカー等の通話部１４から構成されている。
また、集合玄関機２は、制御機４と通信するための通信回路２０、居室親機３ａ、３ｂ・・・を呼び出すためのテンキー、呼出ボタン、取消ボタン等の操作部２１、操作部２１で操作した内容を表示するためのＬＣＤ等の表示部２２、各回路を制御するための制御回路２３、居住者又は管理人と通話するためのマイク、スピーカー等の通話部２４から構成されている。
【００１０】
また、居室親機３ａ、３ｂ・・・は、制御機４と通信するための通信回路３０、呼び出しに応答等をするための通話ボタン、呼出ボタン等の操作部３１、集合玄関機２ａ、２ｂ・・・のカメラ（図示せず）で撮像した来訪者の映像を出画するためのＬＣＤ等の表示部３２、各回路を制御するための制御回路３３、来訪者又は管理人と通話するためのマイク、スピーカー等の通話部３４から構成されている。
【００１１】
また、制御装置４は、管理室親機１、集合玄関機２ａ、２ｂ・・・、及び居室親機３ａ、３ｂ・・・と通信するための通信回路４０、４１、４２、各回路を制御するための制御回路４３、集合玄関機２ａ、２ｂ・・・からの呼出操作を記憶するためのメモリ４４から構成されている。
このように構成された集合住宅集合住宅インターホンシステムについて、以下、動作を説明する。
【００１２】
ここで、来訪者が集合玄関機２ａ、２ｂ・・・の操作部２１を用いて所望の居住者を呼び出して、居室親機３ａ、３ｂ・・・で応答すると制御装置４を介して集合玄関機２と居室親機３ａ、３ｂ・・・間で通話をおこない、さらに居室親機３の操作でオートドア（図示せず）を解錠させる操作をおこなう動作については従来と同様であるので説明を省略する。
また、管理室親機１が制御装置４を介して集合玄関機２ａ、２ｂ・・・、居室親機３ａ、３ｂ・・・間と通話をおこなえることについても従来と同様であるため説明を省略する。
次に、本実施例の動作である来訪者が集合玄関機から呼び出しを行い、他の集合玄関機からの呼び出しによって自身の呼び出しができない状態において、呼出保留を行う動作について説明する。
【００１３】
なお、本実施例においては、通話路を１通話路とする。
例えば、悪質なセールス業者などが集合玄関機２ｂから手当たりしだい居室親機を呼び出していたとする。そのときに正当な来訪者が別のエントランスに設置されている集合玄関機２ａの操作部２１を用いて居室親機３ａの呼び出しを行うと、制御回路２３から制御装置４に対して呼出信号を送信する。当該呼出信号は、集合玄関機２ａの通信回路２０を介して制御装置４に送信され、通信回路４２を介して制御回路４３にて受信される。このとき、制御回路４３は、通話回線が使用中であることを検出し呼び出しができない状態であることを集合玄関機２ａに返信する。この返信信号は呼出信号と逆の経路で送信され集合玄関機２ａにて受信される。これにより、集合玄関機２ａの表示部２２に通話中を示す表示がおこなわれる。この呼出操作がおこなわれて所定時間内に、例えば、再度集合玄関機２ａの操作部２１の呼出ボタンを用いて呼出確定操作を行うと、この呼出確定操作をおこなったことが呼出信号と同様の経路で制御装置４にて受信され、メモリ４４に集合玄関機２ａからの呼出操作が記憶される。悪質なセールス業者などが行っている集合玄関機２ｂの操作部２１を用いた呼出操作が終わり、回線が未使用になったとき、制御装置４の制御回路４３は通話回線が空いたことを検出し、メモリ４４に記憶されている集合玄関機２ａの呼出を優先して呼び出しを行う。
【００１４】
これによって、悪質なセールス業者が手当たり次第に各居室親機３ａ、３ｂ・・・を連続して呼び出した場合であっても、その合間で通話回線が空いたときにメモリ４４に保存された呼び出しをおこなうことが可能となる。
この呼出信号は、制御装置４の通信回路４０を介して居室親機３ａの通信回路３０を介して制御回路３３にて受信され、通話部３４のスピーカから呼出音が報知されると共に、図示しない集合玄関機２ａで撮像した来訪者の映像を表示部３２にて表示することが可能となる。これを確認した居住者が操作部３１を操作して応答すると、通話部３４により通話をおこなうことができる（詳述せず）。
【００１５】
本実施例において、集合玄関機２ａにおいて呼出保留中に「呼び出し中です。しばらくお待ちください。」等のメッセージを音声ＲＯＭ（図示せず）で再生し、通話部２４のスピーカーから鳴動してもよい。
本実施例において、話中時の呼出保留中に集合玄関機２の操作部２１の取消ボタンを押すと呼出保留をキャンセルできるようにしてもよい。このときにはキャンセル信号が制御装置４に送信され、メモリ４４に記憶した内容を削除する。
【００１６】
また、上記所定時間が経過したら待ち受け状態に戻る。
本実施例において、話中時の呼出保留を行う操作として呼出ボタンを兼用していたが、集合玄関機２ａの操作部２１に専用の呼出保留ボタンを設けてもよい。
本実施例において、制御装置４のメモリ４４に複数の集合玄関機２からの呼出が記憶されている場合、制御装置４は先着順に居室親機３に対して呼び出しを行う。
【図面の簡単な説明】
【００１７】
【図１】本発明に係る集合住宅インターホンシステムのシステム構成図。
【図２】本発明に係る集合住宅インターホンシステムのブロック図。
【符号の説明】
【００１８】
１・・・管理室親機
２ａ、２ｂ・・・集合玄関機
２２・・・表示部
３ａ、３ｂ・・・居室親機
４・・・制御装置
４４・・・メモリ
【図１】
2010056976.tif 000003
【図２】
2010056976.tif 000004